(57)【要約】      （修正有）【課題】様々な種類のフックを組み立てることができ、且つ位置決めフックを兼備するフック構造を提供する。【解決手段】主にベース１０とフック部材２０とで構成され、ベースに拡大された貫通孔１３を貫通し、貫通孔の両側に相対する２つの位置決め溝１５Ａ、１５Ｂを備えることにより、貫通孔に異なる種類のフック部材の第１係合端部２１Ａと第２係合端部２１Ｂを穿設することができ、ニーズに応じて、様々なフックを容易に組み立てることができる。また、ベースに設置された第１係止部１４Ａと第２係止部１４Ｂはフック部材の第１被係止部２３Ａと第２被係止部２３Ｂとをそれぞれ係止するので、フック部材を揺動させず、安定した位置決めを達成することができる。【選択図】図３
0003222027.tif 000002
【実用新案登録請求の範囲】
【請求項１】
ベースとフック部材とを備えたフック構造であって、
前記ベースは、第１面と、前記第１面と反対側の第２面と、前記第１面と前記第２面とを貫通する貫通孔と、前記貫通孔の相対する両側に前記第２面から前記第１面に向かってそれぞれ凹設された第１位置決め溝と第２位置決め溝とを有し、
前記フック部材は、前記第１面から前記ベースに着脱可能に穿設され、前記貫通孔を貫通することができ、且つ前記第１位置決め溝と前記第２位置決め溝にそれぞれ当接することができる第１係合端部と第２係合端部とを有することを特徴とする、
フック構造。
【請求項２】
前記第１位置決め溝は、前記第１係合端部が当接するための第１位置決め溝面を有し、前記第１位置決め溝面には、２つの対応する第１位置決め凸部が凸設されることを特徴とする請求項１に記載のフック構造。
【請求項３】
前記第１位置決め溝と前記第２位置決め溝は、凹弧状を呈し、前記第１係合端部と前記第２係合端部は、円弧状を呈することを特徴とする請求項１に記載のフック構造。
【請求項４】
前記フック部材は、前記第１係合端部と前記第２係合端部とが反対側のフック端部を含み、前記フック端部は、円孔形状または上向きに湾曲され、半円弧状を呈することを特徴とする請求項１に記載のフック構造。
【請求項５】
前記フック構造は、ネジをさらに含み、前記ネジは、前記貫通孔を貫通して前記ベースを壁面に固定すると共に、前記第１面に当接するヘッドを有することを特徴とする請求項１に記載のフック構造。
【請求項６】
前記ベースには、前記貫通孔の下方に位置する固定孔が貫通して設けられ、前記固定孔は、前記ベースを貫通すると共に、壁面に固定するネジに供することを特徴とする請求項１に記載のフック構造。
【請求項７】
前記ベースは、前記第２面に設置された接着層をさらに含むことを特徴とする請求項１に記載のフック構造。
【請求項８】
前記ベースの第１面には、前記貫通孔の下方に位置する第１係止部と第２係止部とが前記第１面から凸設され、前記フック部材は、前記第１係合端部と前記第２係合端部とそれぞれ連接され、且つ前記第１係止部と前記第２係止部とによってそれぞれ係止された第１被係止部と第２被係止部とを有することを特徴とする請求項１に記載のフック構造。
【考案の詳細な説明】
【技術分野】
【０００１】
本考案は構造に関し、特にフック構造に関する。
【背景技術】
【０００２】
人々の日常生活中では、物品を至る所で捨てることによって環境が乱雑な状況を引き起こすことを防止するために、多くの物品を整理して収納する必要がある。このため、例えば、壁面にフックを取付け、このフックにタオル、衣服、清潔用具などの物品を引っ掛けることで、室内空間の有効利用が図られている。
【０００３】
図１Ａと図１Ｂは、公知のフックの全体斜視図を示すものである。このフックは、ベース１００と、フック本体２００とを含み、前記ベース１００は、前面１０１と、前面１０１とは反対側の背面１０２とを有し、前記フック本体２００は、前記背面１０２から前面１０１に向かって前記ベース１００に穿設され、これにより、物品を吊り下げる機能を提供するためのフックが形成される。
【０００４】
しかしながら、公知のフックが前記ベース１００と組み合わされるとき、ベース１００の背面１０２から前面１０１までしか穿設することができない。前記ベース１００の孔１０３のサイズ制限のために、前記フック本体２００の穿設端２０１の幅は、前記ベース１００の孔１０３の幅よりも大きくすることはできない。そして、公知の構造は単一で直線状のフック本体で組み立てることしかできず、他のフック、例えば円孔型のフック等を設置することはできない。
したがって、公知のフックは、市場の多用途ニーズと一致しておらず、独自性と機能性に欠けている。
【０００５】
また、組み立て後は、前記フック本体２００を固定することができず、且つ前記ベース１００に対して前後に揺動するため、使用時に物品を吊り下げることが難しいだけでなく、フック本体２００を不用意に引っ掛けて引っ張り力が発生することがある。これにより、前記フック本体２００を引っ張ると、前記ベース１００と共に引っ張られ、破損やゆるみの問題が生じる。
【０００６】
その他、公知のフックは壁に貼るだけでは取付けられないため、安定性や耐荷重が不十分であり、且つ物品の吊り重さを判断することができず、その重さが比較的重い場合になると落下する可能性があり、その機能がやや不足するという問題がある。
【考案の概要】
【考案が解決しようとする課題】
【０００７】
そこで、本考案の課題は、様々な種類のフックを組み立てることができ、且つ位置決めフックを兼備するフック構造を提供することにある。
【課題を解決するための手段】
【０００８】
上記課題を解決するための本考案のフック構造は、ベースとフック部材とを備えたフック構造であって、前記ベースは第１面と、前記第１面と反対側の第２面と、前記第１面と前記第２面とを貫通する貫通孔と、前記貫通孔の相対する両側に前記第２面から前記第１面に向かってそれぞれ凹設された第１位置決め溝と第２位置決め溝とを有し、前記フック部材は前記第１面から前記ベースに着脱可能に穿設され、前記貫通孔を貫通することができ、且つ前記第１位置決め溝と前記第２位置決め溝にそれぞれ当接することができる第１係合端部と第２係合端部とを有することを特徴とする。
【０００９】
より好ましくは、前記第１位置決め溝は前記第１係合端部が当接するための第１位置決め溝面を有し、前記第１位置決め溝面には２つの対応する第１位置決め凸部が凸設される。
【００１０】
より好ましくは、前記第１位置決め溝と前記第２位置決め溝は凹弧状を呈し、前記第１係合端部と前記第２係合端部は円弧状を呈する。
【００１１】
より好ましくは、前記フック部材は前記第１係合端部と前記第２係合端部とは反対側のフック端部を含み、前記フック端部は円孔形状または上向きに湾曲され、半円弧状を呈する。
【００１２】
より好ましくは、前記フック構造はネジをさらに含み、前記ネジは前記貫通孔を貫通して前記ベースを壁面に固定すると共に、前記第１面に当接するヘッドを有する。
【００１３】
より好ましくは、前記ベースには前記貫通孔の下方に位置する固定孔が貫通して設けられ、前記固定孔は前記ベースを貫通すると共に、壁面に固定するネジに供する。
【００１４】
より好ましくは、前記ベースは前記第２面に設置された接着層をさらに含む。
【００１５】
より好ましくは、前記ベースの第１面には前記貫通孔の下方に位置する第１係止部と第２係止部とが前記第１面から凸設され、前記フック部材は前記第１係合端部と前記第２係合端部とそれぞれ連接され、且つ前記第１係止部と前記第２係止部とによってそれぞれ係止された第１被係止部と第２被係止部とを有する。
【考案の効果】
【００１６】
本考案のフック構造は、主にベースとフック部材とから構成され、前記ベースに拡大された貫通孔を貫通することにより、前記貫通孔に異なる種類のフック部材の第１係合端部と第２係合端部の穿設を許容することができる。したがって、本考案はニーズに応じて、様々なフックを用いて容易に組み立てることができ、様々な機能の革新的かつ実用的な進歩に到達することができる。しかも前記ベースに設置された第１係止部と第２係止部は前記フック部材の第１被係止部と第２被係止部とをそれぞれ係止するので、前記フック部材を揺動させず、安定した位置決めの効果を達成することができる。
【図面の簡単な説明】
【００１７】
【図１Ａ】従来技術の組み立て構造の概略説明図である。
【図１Ｂ】従来技術の使用方法の概略説明図である。
【図２】本考案の第１実施形態の全体斜視図である。
【図３】本考案の第１実施形態の組み立ての説明図（１）である。
【図４】本考案の第１実施形態の組み立ての説明図（２）である。
【図５Ａ】本考案の第１実施形態の組み立ての説明図（３）である。
【図５Ｂ】図５Ａの第１実施形態の一部拡大図である。
【図６】本考案の第２実施形態の全体斜視図である。
【図７】本考案の第３実施形態の全体斜視図である。
【図８】本考案の第４実施形態の全体斜視図である。
【図９】本考案の第５実施形態の組み立ての説明図である。
【図１０】図９の第５実施形態の全体斜視図である。
【考案を実施するための形態】
【００１８】
以下、図面を参照しつつ、本考案のフック構造について具体的に説明する。
【００１９】
＜第１実施形態＞
本考案の第１実施形態に係るフック構造は、図２乃至図５Ｂに示すように、ベース１０とフック部材２０とで構成される。
【００２０】
前記ベース１０は、第１面１１と、前記第１面１１と反対側の第２面１２と、前記第１面１１と前記第２面１２とを貫通し且つ略十字型を呈する貫通孔１３と、前記第１面１１から凸設され且つ前記貫通孔１３の下方に位置する第１係止部１４Ａと第２係止部１４Ｂと、前記貫通孔１３の相対する両側に前記第２面１２から前記第１面１１に向かってそれぞれ凹設された第１位置決め溝１５Ａと第２位置決め溝１５Ｂとを有する。
本実施形態では、前記第１位置決め溝１５Ａと前記第２位置決め溝１５Ｂは、凹弧状を呈し、そのうち、前記第１位置決め溝１５Ａは、第１位置決め溝面１５１Ａを有し、前記第１位置決め溝面１５１Ａには、２つの対応する第１位置決め凸部１５２Ａが凸設される。
勿論、上記実施形態は限定されない。後述する第４実施形態は、図８に示すように、前記第１実施形態と、前記ベース１０の第１面１１が前記貫通孔１３の下方に位置する２つの第１係止部と第２係止部を有していない点で相違する。
【００２１】
フック部材２０としては、鋼条が例示されるが、これに限定されるものではない。前記フック部材２０は、前記第１面１１から前記ベース１０に着脱可能に穿設され、しかも一端が前記貫通孔１３を貫通することができる２つの相対する第１係合端部２１Ａと第２係合端部２１Ｂとを有し、他端が前記第１係合端部２１Ａと前記第２係合端部２１Ｂとは反対側のフック端部２２である。
前記フック端部２２は、円孔型が例示されるが、これに限定されるものではない。後述する第３実施形態は、図７に示すように、上方に半円弧状に折り曲げられてもよい。さらに、前記フック部材２０は、両端間に位置し、且つ前記第１係止部１４Ａによって係止された第１被係止部２３Ａと、前記第２係止部１４Ｂによって係止された第２被係止部２３Ｂとを有する。本実施形態では、前記第１係合端部２１Ａと前記第２係合端部２１Ｂは、円弧状を呈する。
前記フック部材２０を前記ベース１０に組み付けると、前記第１係合端部２１Ａが前記第１位置決め溝１５Ａの第１位置決め溝面１５１Ａに当接し、前記第２係合端部２１Ｂが前記第２位置決め溝１５Ｂに当接し、しかも前記第１係合端部２１Ａが２つの前記第１位置決め凸部１５２Ａに係止されることにより、前記フック部材２０を固定して容易に移動させないように作用する。
【００２２】
本実施形態では、前記ベース１０は、接着層３０をさらに含み、前記接着層３０が前記ベース１０の第２面１２に設置され、壁面に接着するのに供する。
【００２３】
本考案の特徴は、従来の寸法制限を改善するために、前記ベース１０に拡大された貫通孔１３を開設することにあり、前記貫通孔１３は様々な種類のフック部材２０の第１係合端部２１Ａと第２係合端部２１Ｂに適合できる。これにより、本考案はニーズに応じて、種々のフック部材２０と容易に組み合わせて種々の機能を達成することができ、革新的かつ実用的な進歩を実現することができる。しかも前記ベース１０に凸設された前記第１係止部１４Ａと第２係止部１４Ｂは前記フック部材２０の第１被係止部２３Ａと第２被係止部２３Ｂとそれぞれ係合することができる。これにより、前記フック部材２０を揺動させず、安定した位置決めの効果を達成する。
【００２４】
以下、フック構造の組み立てについてさらに説明する。
図３に示すように、前記フック部材２０の第１係合端部２１Ａと第２係合端部２１Ｂは、数字の１を呈する状態で前記ベース１０の貫通孔１３を貫通する。
【００２５】
図４に示すように、前記第１係合端部２１Ａと前記第２係合端部２１Ｂが前記貫通孔１３を通過した後、前記フック部材２０を反時計回りに９０度回転させる。もちろんユーザの組み立て方法に応じて、時計回りに９０度回転してもい。そして、前記フック部材２０のフック端部２２を上向きにする。
【００２６】
図２と図５（Ａ）に示すように、前記フック部材２０を引っ張って前記第１位置決め溝１５Ａの第１位置決め溝面１５１Ａに前記第１係合端部２１Ａを当接させる。そして、前記第２位置決め溝１５Ｂに前記第２係合端部２１Ｂを当接させ、しかも前記第１係合端部２１Ａが２つの前記第１位置決め凸部１５２Ａに引っ掛かり、次に前記フック部材２０を回動することで、前記ベース１０の第１係止部１４Ａと前記第２係止部１４Ｂは、それぞれ前記フック部材２０の第１被係止部２３Ａと第２被係止部２３Ｂと係合することができる。
【００２７】
＜第２実施形態＞
図６は、本考案の第２実施形態を示すものである。第２実施形態の構成および機能は上記第１実施形態と同様であるので説明を省略するが、相違点は、前記フック構造がさらにネジ４０を備え、このネジ４０が貫通孔１３を貫通してさらに前記ベース１０を壁面又は木板に固定していることにある。しかも前記ネジ４０は、前記第１面１１に当接するヘッド４１を有する。
前記ネジ４０の配置によって、本考案は、従来の単一の固着方法を異にし、容易且つ堅固に取り付けることができ、様々な固定方式への変更機能を有する。
【００２８】
＜第３実施形態＞
図７は、本考案の第３実施形態を示すものである。第３実施形態の構成および機能は上記第１、２実施形態と同様であるので説明を省略するが、相違点は、
前述第１、２実施形態において、フック端部２２を円孔型としたが、図７に示すように、本実施形態のフック端部２２は上向きに湾曲されて半円弧状を呈する点にある。様々なバリエーションを提供し、使い勝手や利便性を向上させることで、上記と同様の効果を得ることができる。
【００２９】
＜第４実施形態＞
図８は、本考案の第４実施形態を示すものである。第４実施形態と前記第１乃至第３実施形態の相違点は、前記ベース１０の第１面１１が前記貫通孔１３の下方に位置する２つの第１係止部１４Ａと第２係止部１４Ｂを有していない点にある。
【００３０】
＜第５実施形態＞
図９と図１０は、本考案の第５実施形態を示すものである。本実施形態では、
前記ベース１０には、前記貫通孔１３の下方に位置する固定孔１６が貫通して設けられ、前記固定孔１６は、円形を呈し、且つ前記第１面１１と前記第２面１２を貫通し、前記ネジ４０は前記固定孔１６を貫通して前記ベース１０を壁面に固定する。
前記ベース１０を壁面に固定すると、前記フック部材２０は通常の状態で前記ネジ４０を効果的に遮蔽することができる。これにより、遮蔽性と美観性を得ることができる。したがって、使用上の全体的な外観の美観装飾に加えて、脱落を回避するという実用的な目的を達成する。
【符号の説明】
【００３１】
１００  ベース
１０１  正面
１０２  背面
１０３  孔
２００  フック本体
２０１  穿設端
１０  ベース
１１  第１面
１２  第２面
１３  貫通孔
１４Ａ  第１係止部
１４Ｂ  第２係止部
１５Ａ  第１位置決め溝
１５１Ａ  第１位置決め溝面
１５２Ａ  第１位置決め凸部
１５Ｂ  第２位置決め溝
１６  固定孔
２０  フック部材
２１Ａ  第１係合端部
２１Ｂ  第２係合端部
２２  フック端部
２３Ａ  第１被係止部
２３Ｂ  第２被係止部
３０  接着層
４０  ネジ
４１  ヘッド
【図１Ａ】
0003222027.tif 000003
【図１Ｂ】
0003222027.tif 000004
【図２】
0003222027.tif 000005
【図３】
0003222027.tif 000006
【図４】
0003222027.tif 000007
【図５Ａ】
0003222027.tif 000008
【図５Ｂ】
0003222027.tif 000009
【図６】
0003222027.tif 000010
【図７】
0003222027.tif 000011
【図８】
0003222027.tif 000012
【図９】
0003222027.tif 000013
【図１０】
0003222027.tif 000014